(57)【要約】【課題】家屋に高価な設備は使用することなく、つる植物を利用して自然を取り込み、夏期は葉が繁茂することによって直射日光を遮り、風通しも良く、冬季には枯れて日差しを取り込めるように、壁及び窓開口部の大部分を覆えるようなつる植物の登攀のガイドを提供する。【解決手段】壁の上下左右に支持ブラケット１６を突出し、左右の支持ブラケットの間に支持杆１７を上下一対平行に横架し、上下の支持杆の間にワイヤー１９を一定間隔をあけて張りめぐらせて登攀ガイドＧ２を構成した。【選択図】　　　　図１
2004000219.tif 000002
【特許請求の範囲】
【請求項１】
壁の上下左右に支持ブラケットを突出し、左右の支持ブラケットの間に支持杆を上下一対平行に横架し、上下の支持杆の間にワイヤーを一定間隔をあけて張りめぐらせて登攀ガイドを構成したことを特徴とする住宅の壁に設けるつる植物の登攀ガイド。
【発明の詳細な説明】
【０００１】
【発明の属する技術分野】
本発明は、住宅の南面や西面や東面の壁に設ける、つる植物の登攀ガイドの構成に関する。
【０００２】
【従来の技術】
近年、都市部では道路が舗装され、建物はコンクリート造りが多くなり、敷地が狭いために緑が少なくなり、夏期の日中においては、舗装路や構造物に吸収される熱エネルギーが大きく、夜になっても蓄熱されたままで、いつまでたっても高い温度を維持するようになってきている。
また、住宅やビルに設置するエアコンの普及率が高くなり、夏期におけるエアコンの使用頻度が高くなり、冷房廃熱が外気温度を高める。一方、室内ではその温度上昇を抑えるために冷房を強化するという悪循環となっている。
そして、この冷房するための電力の消費量も多くなり、エネルギーの無駄遣いが問題となってきている。こうした日本独特の夏の蒸し暑さの中にあって、先人の自然を取り込む工夫や知恵が生かされている。
例えば、窓の外にすだれやよしずを配置して、直射日光が室内に入らないようにし、風通しも良くするような技術である。
【発明が解決しようとする課題】
【０００３】
しかし、すだれやよしずを配置することは、洋風建築には合わず、古くなると景観をも乱し、窓の一部を日差しから避けるようにしても壁全体を覆うことはできない。
また、すだれやよしず等で直射日光を避けて、風通しをよくし、温度上昇を抑えても、冬になるとそれらは不要であるために邪魔となり、収納場所が必要となり、設置や撤収の手間もかかってしまうのである。
また、都市を緑化して温度上昇を抑えようとしても、その樹木等を植える空間を得ることが難しく、また、エアコンの温度設定を低くするにも限界がある。
そこで、本発明は家屋に高価な設備は使用することなく、つる植物を利用して自然を取り込み、夏期は葉が繁茂することによって直射日光を遮り、風通しも良く、冬季には枯れて日差しを取り込めるように、壁及び窓開口部の大部分を覆えるようなつる植物の登攀のガイドを提供しようとする。
【０００４】
【課題を解決するための手段】
本発明は、以上のような課題を解決するために、次のような手段を用いる。
壁９の上下左右に支持ブラケット１６を突出し、左右の支持ブラケット１６・１６の間に支持杆１７を上下一対平行に横架し、上下の支持杆１７・１７の間にワイヤー１９を一定間隔をあけて張りめぐらせて登攀ガイドＧ２を構成したものである。
【０００５】
【発明の実施の形態】
本発明の実施の形態を添付の図面に基づいて説明する。
図１は住宅の壁に本発明のつる植物の登攀ガイドを設置した全体斜視図、
図２はメッシュ型のつる植物の登攀ガイドの正面図とワイヤー型の登攀ガイドの側面図、
図３はワイヤー型の登攀ガイドの正面図とメッシュ型の登攀ガイドの側面図、
図４はワイヤー型の登攀ガイドの平面図、
図５はワイヤー型の登攀ガイドの支持ブラケットの側面図、
図６は縦型貯水タンクに登攀ガイドを設けた斜視図、
図７は同じく平面断面図である。
【０００６】
つる植物の登攀ガイドＧを設置した家屋を図１より説明する。
図１に示す住宅は二階建てであって、家屋の南側の壁にメッシュ型のつる植物の登攀ガイドＧ１を設置し、西側の壁にワイヤー型のつる植物の登攀ガイドＧ２を設置している。但し、登攀ガイドＧ１・Ｇ２の設置位置は日差しの当たる東面や南面や西面の壁であれば限定するものではない。
そして、家屋の南西の角には縦型の貯水タンク１が配置され、該貯水タンク１の上端を給水口とし、その給水口上方に呼び樋３の下端を配置し、該呼び樋３の上端は軒樋２のじょうごと連通して、家屋の屋根Ｒに落ちた雨を、軒樋２から呼び樋３を介して貯水タンク１に貯水するようにしている。
この貯水タンク１からつる植物Ａに灌水するようにしている。貯水タンク１により灌水することから、植物の育たない軒下（雨が降っても、乾いた状態のままであることが多いため）においても安定した灌水が可能となり、植物を生長させることができるようになる。
該貯水タンク１内がいっぱいになると、オーバーフロー管４から庭の一部に埋設した地下タンク５に貯水される。該地下タンク５がいっぱいになると、排水管６より浸透マスへ導かれ、以降排水溝等へ排水される。
【０００７】
前記つる植物の登攀ガイドＧ１・Ｇ２の下方の地面にはつる植物Ａを栽培し、つる植物Ａが成長して登攀ガイドＧ１・Ｇ２に絡まりながら登攀して、葉が繁茂することによって、日差しを遮り日陰を作るようにして、壁に直接日光が当たらず、風通しがよく涼しい空間を形成し、室内の温度上昇を抑えるようにしている。このつる植物としては、朝顔、うり、へちま、ひょうたん、つるバラ、ブドウ、蔦、藤等の落葉つる植物がある。
【０００８】
そして、メッシュ型登攀ガイドＧ１の構成から説明する。
図１、図２、図３に示すように、メッシュ型登攀ガイドＧ１は窓７やドア等の開口部を有する壁の一部に形成するものであり、フレーム１０とロッド１１からなり、フレーム１０は垂直方向に設けた縦フレーム１０Ｖと水平方向に設けた横フレーム１０Ｈと前後方向に設けた幅フレーム１０Ｗからなり、これらフレーム１０の長さは一定長さ（一間＝約９０ｃｍ）の整数倍として、家屋を設計するときの単位長さに合わせて、壁の幅や高さ、窓や出入口の幅や高さ等に容易に合わせられ、メッシュ型登攀ガイドＧ１の材料を規格化して、安価に得られて調達し易いようにしている。
【０００９】
前記縦フレーム１０Ｖは地面に立設して垂直方向の荷重を受けて支持したり、中途部を壁９より突出した取付ステー１３に固設して垂直方向の荷重を受けて支持している。
そして、この縦フレーム１０Ｖの上下に横フレーム１０Ｈを固設して四角形状に枠組みし、窓７が位置する前方は、窓７からの視野を確保できるように、例えば、１階の窓７においては、中途部から下の部分を、２階の窓７においては、中途部から上の部分を避けた形状に枠組みしている。
但し、夏期は窓７からの熱が入る量も大きいので、人の出入りや外の景色を見る必要がないときは全面を登攀ガイドＧ１で覆うこともでき、好みに応じた形状にフレーム１０を組み合わせて枠組み構成することができる。
また、フレーム１０Ｖは２分して格子状の枠組みを形成して壁面の大きさにより、枠組みを増減させて必要な緑壁面積を調整できるようにすることも可能である。
【００１０】
前記幅フレーム１０Ｗは、メッシュ型登攀ガイドＧ１を壁９より一定の距離を離して設置するためのものであり、つる植物Ａが壁９に沿って登攀すると、壁材に吸着根やつるが張って傷められ易くなり、湿気も多くなるので、本発明では壁９より離して登攀させることで、壁９とつる植物Ａの間に空間ができて、風が通り、建物の壁９を乾燥させるとともに、熱気が溜まらないようにしている。
【００１１】
そして、前記フレーム１０は金属製のパイプより構成して軽量で剛性があり、組立易いものが使用される。ロッド１１はフレーム１０よりも細い金属棒より構成し、フレーム１０の長さに合わせて切断して、一定間隔をあけて格子状にしてフレーム１０内側に取り付けて、メッシュを構成している。該フレーム１０及びロッド１１はいずれも錆難いステンレスやアルミ等で構成している。
このように構成したメッシュは目が粗いので、つる植物の種類によっては登攀し難い場合もあり、このような場合には、このフレーム１０及びロッド１１からなるメッシュ上に、合成樹脂製の紐を網状に編んだネット１２を取り付けたり、または、フレーム１０及びロッド１１の間の空間に一定間隔をあけて、目が細かくなるように縦横に紐を張りめぐらせている。
【００１２】
このように構成することで、窓７やドア等の開口部（出入口）の幅や高さに合わせてフレーム１０を組み立てて、このフレーム１０の間にロッド１１を一定間隔をあけて格子状に取り付け、更に、ネット１２を取り付けることでメッシュ型登攀ガイドＧ１が構成でき、このメッシュ型登攀ガイドＧ１の下部につる植物Ａを栽培すると、つるが伸びてメッシュ型登攀ガイドＧ１に沿って繁茂して壁９及び窓７の開口部を覆い、日差しが直接壁９や窓７の開口部に当たらなくなり、壁の温度上昇や窓７の開口部を通る直射光を抑えて室内の温度上昇も抑えるのである。
【００１３】
次に、窓７やドア等の開口部がない壁９に設けるワイヤー型登攀ガイドＧ２の構成を図１〜図４より説明する。
ワイヤー型登攀ガイドＧ２は取り付ける壁９の上端と下端の両側に、図５に示すように、壁９に取付ステー１５の基部側を埋め込み、該取付ステー１５の先端の取付部１５ａを外方向に水平に突出している。
該取付ステー１５の取付部１５ａに支持ブラケット１６の基部側をボルト等によって固設している。該支持ブラケット１６の先端に嵌合部１６ａを設け、該嵌合部１６ａに支持杆１７を嵌合して横架している。
該支持杆１７は上下平行に一対配置され、支持ブラケット１６によって、前記同様に壁９から一定距離離れるように配置される。該支持杆１７上には長手方向に一定間隔をおいてフック１７ａ・１７ａ・・・が突出され、該フック１７ａにワイヤー１９を係止できるようにしている。
該ワイヤー１９は金属製であっても合成樹脂製であってもよい。
【００１４】
このように構成することで、開口部のない壁９の場合には、壁９を覆いたい上下両側に取付ステー１５を埋め込んで、該取付ステー１５に支持ブラケット１６を固定して、左右の支持ブラケット１６・１６間に支持杆１７を横設して、序毛一対配置する。
そして、支持杆１７の一端にワイヤー１９の一端を固定して、支持杆１７・１７のフック１７ａ・１７ａ・・・に順次ワイヤー１９を通して、すだれ状にワイヤー１９を張り、該ワイヤー１９の他端にオモリ２０を固定して、このオモリ２０の荷重によってワイヤー１９を緊張するようにしている。
さらに、上下の支持杆１７・１７の上下中途部にスペース部材２１をワイヤー１９とワイヤー１９の間に横架し、側面視でワイヤー１９が菱形に２重構造の空間を形成するようにして、ワイヤー型登攀ガイドＧ２が構成できる。
そして、ワイヤー型登攀ガイドＧ２の下部につる植物Ａを栽培すると、つるが伸びて登攀ガイドＧ２に沿って繁茂する際、植物の葉が重層して繁茂するため、日射遮弊効果が増大する。
【００１５】
また、前記縦型の貯水タンク１は南側に配置されていると、前記登攀ガイドＧ１またはＧ２によって覆われて外観を悪くすることはないが、タンクを単独で用いたり、北側に配置したりすると登攀ガイドが設けられず、貯水タンク１の地味な色の塩ビパイプの表面が露出し、味気なく、また、劣化も早くなる。
そこで、図６、図７に示すように、貯水タンク１の周囲にメッシュ２５を巻き、貯水タンク１の下部の外側につる植物Ａを栽培して、つるが伸びるとメッシュ２５に沿って登攀し、貯水タンク１をつる植物Ａによって覆うようにしている。このようにして、貯水タンク１の外観を良くし、耐候性も向上するようにしている。
なお、メッシュ２５は合成樹脂製また金属製の網により構成される。
【００１６】
【発明の効果】
本発明は以上のように構成したので、次のような効果を奏する。
第１に、上下に横架した支持杆の間に、ワイヤーを張るだけの簡単な構成で登攀ガイドを構成することができ、安価な登攀ガイドを構成することができる。
第２に、登攀ガイドを構成することで、夏期においてはつる植物が成長して登攀し繁茂し、日差しを遮ることができて、風通しもよく、壁や窓開口部に当たる日差しを遮るので、室内温度上昇を抑えることができる。
【００１７】
第３に、つる植物が繁茂し、緑化されることによって、空気がよくなり、目に優しくなり居住環境が向上する。そして、冬季になると、落葉つる植物は枯れるので、日差しは直接壁に当たり、又、窓開口部から日差しが入り温められて、室内温度を上げて温かく過ごすことができる。
【図面の簡単な説明】
【図１】住宅の壁に本発明のつる植物の登攀ガイドを設置した全体斜視図である。
【図２】メッシュ型のつる植物の登攀ガイドの正面図とワイヤー型の登攀ガイドの側面図である。
【図３】ワイヤー型の登攀ガイドの正面図とメッシュ型の登攀ガイドの側面図である。
【図４】ワイヤー型の登攀ガイドの平面図である。
【図５】ワイヤー型の登攀ガイドの支持ブラケットの側面図である。
【図６】縦型貯水タンクに登攀ガイドを設けた斜視図である。
【図７】同じく平面断面図である。
【符号の説明】
Ｇ１・Ｇ２　登攀ガイド
９　壁
１０　フレーム
１０Ｖ　縦フレーム
１０Ｈ　横フレーム
１０Ｗ　幅フレーム
１１　ロッド
１６　支持ブラケット
１７　支持杆
１９　ワイヤー
【図１】
2004000219.tif 000003
【図２】
2004000219.tif 000004
【図３】
2004000219.tif 000005
【図４】
2004000219.tif 000006
【図５】
2004000219.tif 000007
【図６】
2004000219.tif 000008
【図７】
2004000219.tif 000009